(57)【特許請求の範囲】
【請求項１】
流下させる液体を貯留可能な散水容器と、
前記散水容器から懸下されて前記液体を流下させるネットと、
前記ネットの下方に配設されて前記液体を回収する回収容器と、を有し、
前記散水容器の底部には、前記ネットの水平幅方向に延在して前記液体の流出を許容する細隙状の流出孔が形成され、
前記散水容器の内部には、前記流出孔を通過不可能な形状の支持体が配設され、
前記ネットの上端辺近傍は、前記流出孔に挿通されて前記支持体に接続されることを特徴とするネット式脱臭装置。
【請求項２】
前記ネットの上端辺近傍には、該上端辺に沿って延在する筒状若しくは袋状の支持体挿入部が形成され、
前記支持体は、前記流出孔の開口幅よりも太い棒状若しくは管状であって前記支持体挿入部に挿通され、
前記支持体が挿通された前記ネットを支える前記散水容器の底部内面及び前記支持体の表面の少なくとも一方には、所定の高さで突出する凸部が形成されることを特徴とする請求項１に記載のネット式脱臭装置。
【請求項３】
前記流出孔の相対する縁部から夫々連続して互いに平行となるよう下方に延設されて前記ネットを挟む一対のフランジ部を有することを特徴とする請求項１または請求項２に記載のネット式脱臭装置。
【請求項４】
前記一対のフランジ部によって挟持されるスペーサを有することを特徴とする請求項３に記載のネット式脱臭装置。
【請求項５】
前記一対のフランジ部の前記ネットを介して対向する内面には、所定の高さで突出する凸部が形成されることを特徴とする請求項３または請求項４に記載のネット式脱臭装置。
【請求項６】
前記散水容器は、筒状に形成されることを特徴とする請求項１ないし請求項５の何れか１項に記載のネット式脱臭装置。
【請求項７】
前記ネットには、前記ネットの主地となるネット部よりも目開きが小さく所定幅で水平方向に延在する生地部が設けられることを特徴とする請求項１ないし請求項６の何れか１項に記載のネット式脱臭装置。
【発明の詳細な説明】
【技術分野】
【０００１】
本発明は、開放型の畜舎や堆肥舎等の臭気対策等に用いられるネット式脱臭装置に関する。
【背景技術】
【０００２】
従来、開放型の畜舎、堆肥舎、食品工場等からの悪臭の放散を抑止する装置として、それら悪臭発生施設の開口部に展張されるネットに消臭液を滴下させるネット式脱臭装置が知られている。
【０００３】
例えば、特許文献１には、悪臭発生施設の開口部に展張される網状通液体と、該網状通液体の上部に配設される上部桶と、網状通液体の下部に配設される下部桶と、を有し、消臭液を上部桶から滴下させて網状通液体に沿って流下させる消臭装置が開示されている。
【０００４】
同文献の消臭装置では、上部桶に多数の透孔よりなる消臭液流下部が形成されており、上部桶内の消臭液は、該消臭液流下部より滴下される。また、同文献には、前記消臭液流下部として、一端が上部桶の内部に浸漬され、他端が上部桶の上縁部を超えて外部に垂下される繊維体を設け、毛細管現象によって消臭液を流下させる構成が開示されている。
【０００５】
また、例えば、特許文献２には、消臭液に浸漬される消臭ネットの上縁から一定の長さ範囲の素材を厚手に構成する、或いは当該部分に毛細管現象の高い織布を添着するなどして、当該部分の毛細管現象を活発化させることが記載されている。
【先行技術文献】
【特許文献】
【０００６】
【特許文献１】特開昭６１−１４１３７２号公報（第２頁、第２−３図）
【特許文献２】実開平７−３９３９９号公報（第４−５頁、第１−２図）
【発明の概要】
【発明が解決しようとする課題】
【０００７】
しかしながら、上記した従来技術では、十分な量の消臭液を均一に流下させてネット全体の湿潤状態を好適に維持する観点において改善の余地があった。
【０００８】
即ち、従来技術では、消臭液の流下量が少なく、均一に流下しないことにより、ネットの下部等において、消臭液で湿潤しない領域が残り、脱臭効果が減殺されるという問題点があった。特に、畜舎等に展張されるネットは、比較的大きなサイズになるので（例えば、水平幅や高さが２ｍから５ｍ若しくはそれ以上）、ネット全体を均一に湿潤させることが難しい。
【０００９】
具体的には、特許文献１に開示された従来技術のように、上部桶に形成される多数の透孔から消臭液を流下させる方式では、流下量を増やすために透孔を大きくすると、上部桶に供給される消臭液の流れの影響を受けて、各透孔から滴下される消臭液の量が不均一になる。また、消臭液の流下量が多いと、透孔から滴下される消臭液がネットに衝突して周囲に飛散してしまう。
【００１０】
また、ネットの一端を上部桶の内部に浸漬させて、毛細管現象を利用して消臭液を流下させる方法では、消臭液の流下量を増加させることが難しい。特許文献２に開示された従来技術のように、ネットの上端近傍を厚手に構成して毛細管現象を活性化したとしても、流下量の増大には限界があった。
また、上部桶に侵入する埃等がネットに付着し蓄積することによって、毛細管現象が妨げられ、消臭液の均一な流下が阻害されるという問題点もある。
【００１１】
本発明は、上記の事情に鑑みてなされたものであり、その目的とするところは、消臭液等の液体を均一に流下させ且つ該液体の流下量を増やして脱臭効果等を高めることができるネット式脱臭装置を提供することにある。
【課題を解決するための手段】
【００１２】
本発明のネット式脱臭装置は、流下させる液体を貯留可能な散水容器と、前記散水容器から懸下されて前記液体を流下させるネットと、前記ネットの下方に配設されて前記液体を回収する回収容器と、を有し、前記散水容器の底部には、前記ネットの水平幅方向に延在して前記液体の流出を許容する細隙状の流出孔が形成され、前記散水容器の内部には、前記流出孔を通過不可能な形状の支持体が配設され、前記ネットの上端辺近傍は、前記流出孔に挿通されて前記支持体に接続されることを特徴とする。
【発明の効果】
【００１３】
本発明のネット式脱臭装置によれば、消臭液等の液体が貯留される散水容器の底部には、ネットの水平幅方向に延在して液体の流出を許容する細隙状の流出孔が形成される。これにより、前記流出孔から重力を利用して消臭液等の液体を流下させることができるので、毛細管現象を利用して消臭液を吸い上げてから流下させる従来技術に比べて、多量の液体を効率良く流下せることができる。その結果、ネット全体を略均一に湿潤させて、液体の流下量を増やし、脱臭効果等を高めることができる。
【００１４】
また、ネットの上端辺近傍は、流出孔に挿通され、散水容器の内部に配設される支持体に接続されるので、散水容器内の液体は、ネットに沿って流出孔から流出する。そのため、液体の飛散を抑制しつつ流下量を増加させることができる。
【００１５】
また、支持体は、流出孔を通過不可能な形状であるので、散水容器の内部で支持体に接続されたネットを、散水容器の底部によって支持することができる。これにより、ネットの好適な展張状態を維持することができる。
【００１６】
また、ネットの上端辺近傍には、該上端辺に沿って延在する略筒状若しくは略袋状の支持体挿入部が形成され、支持体は、流出孔の開口幅よりも太い略棒状若しくは略管状であって支持体挿入部に挿通されても良い。これにより、ネットの上端辺近傍を水平方向の全幅に亘って安定して支持することができ、弛み等を抑制してネットを好適に展張することができる。また、ネットと支持体との接続作業も容易に行うことができる。
【００１７】
また、支持体が挿通されたネットを支える散水容器の底部内面及び支持体の表面の少なくとも一方には、所定の高さで突出する凸部が形成されても良い。これにより、ネットの水平方向の全幅に亘って、散水容器の底部内面と支持体の表面との間に、凸部の高さに対応して、液体の流出に適した所定寸法の間隙を確保することができる。
【００１８】
即ち、ネットの荷重によって支持体が散水容器の底部内面に押し付けられて当該部分のネットが押し潰され、若しくは引張荷重による経時変化によって当該部分のネットが変形して、液体が流下する通路が塞がれてしまうことを抑制することができる。その結果、必要な量の液体をネットの全幅に亘って略均等に流下させることできる。
【００１９】
また、ネットを介して相対する流出孔の縁部には、該縁部から夫々連続して互いに平行となるよう下方に延設されてネットを挟む一対のフランジ部が形成されても良い。これにより、液体を略均等に流出させる効果を高めることができると共に、液体の飛散が抑制されるので、液体の流下量を増加させることが可能となる。
【００２０】
また、対向する一対のフランジ部の内面間に、該フランジ部によって挟持されるスペーサを設けても良い。これにより、フランジ部の内面間の距離を好適に確保することができるので、液体の流下量を好適に調整することができる。また、ネットの全幅に亘ってフランジ部の内面間の距離を均等に設定することができるので、液体の略均等な流下が可能となる。
【００２１】
また、一対のフランジ部のネットを介して対向する内面には、所定の高さで突出する凸部が形成されても良い。フランジ部の内面に凸部を形成することによっても、フランジ部の内面間の距離を好適に確保することができる。
【００２２】
また、散水容器は、略筒状に形成されても良い。即ち、散水容器を、その上部が開口していない略密閉容器状に形成しても良い。これにより、散水容器内に埃や枯葉等の異物が侵入することを防止できるので、埃等に起因する液体の流下量の低下や流れの不均一化を抑制することができる。
【００２３】
また、ネットには、ネットの主地となるネット部よりも目開きが小さく所定幅で水平方向に延在する生地部が設けられても良い。例えば、散水容器の内部に挿入されるネットの上端辺近傍に生地部を設けることにより、散水容器から流出する液体を均一に拡げることができる。
【００２４】
また、散水容器から懸垂されるネットの上下方向の中間部に生地部を設けることにより、ネットを流下する過程における液体の流れの偏りを抑制して、ネットの湿潤状態の均一化を図ることができる。
【図面の簡単な説明】
【００２５】
【図１】本発明の実施形態に係るネット式脱臭装置の（Ａ）概略構成を示す正面図、（Ｂ）ネットの脱臭効果を模式的に示す断面図（Ａ−Ａ線断面図）である。
【図２】本発明の実施形態に係るネット式脱臭装置の概略構成を示す斜視図である。
【図３】本発明の実施形態に係るネット式脱臭装置の散水容器付近の横断面図（Ｂ−Ｂ線断面図）である。
【図４】本発明の実施形態に係るネット式脱臭装置の散水容器を構成するケース部材の内部構造を示す透視図である。
【図５】本発明の実施形態に係るネット式脱臭装置の散水容器の底部と支持体との当接部付近を示す縦断面図（Ｃ−Ｃ線断面図）である。
【図６】本発明の実施形態に係るネット式脱臭装置の（Ａ）生地部、（Ｂ）その変形例の端部近傍（Ｄ部詳細）を示す斜視図である。
【図７】本発明の実施形態に係るネット式脱臭装置の（Ａ）ネットの側部支持体近傍、（Ｂ）その変形例、（Ｃ）更に他の変形例を示す斜視図である。
【図８】本発明の他の実施形態に係るネット式脱臭装置の（Ａ）下部支持体にネットを貼付した状態、（Ｂ）下部支持体にネットを巻き付けた状態、（Ｃ）ネットを固定する状態を示すネットの下端辺近傍の斜視図である。
【図９】本発明の他の実施形態に係るネット式脱臭装置の回収容器の支持金具付近を示す横断面図（Ｅ−Ｅ線断面図）である。
【発明を実施するための形態】
【００２６】
以下、本発明の実施形態に係るネット式脱臭装置を図面に基づき詳細に説明する。
図１（Ａ）は、本発明の実施形態に係るネット式脱臭装置１の概略構成を示す正面図であり、同図（Ｂ）は、ネット式脱臭装置１におけるネット３の脱臭効果を模式的に示す断面図（図１（Ａ）に示すＡ−Ａ線断面図）である。
【００２７】
ネット式脱臭装置１は、開放型の畜舎、堆肥舎、食品工場等からの悪臭の放散を抑止するための装置である。図１（Ａ）に示すように、ネット式脱臭装置１は、消臭液等の液体Ｌを貯留可能な散水容器２と、散水容器２から懸下されて液体Ｌを流下させるネット３と、ネット３の下方に配設されて液体Ｌを回収する回収容器４と、を有する。
【００２８】
散水容器２は、悪臭放散施設等の開口部等の上方に配設され、ネット３を支持すると共に、ネット３に液体Ｌを供給する。即ち、散水容器２から流出する液体Ｌは、散水容器２に垂下されるネット３に沿って流下する。つまり、ネット３は、液体Ｌによって湿潤状態となり、ネット３の表面には、液体Ｌによる液膜が形成される。
【００２９】
ネット３は、例えば、ポリエステル、ポリエチレン、ポリプロピレン等の合成繊維等から形成され、主地として略網目状の通風可能なネット部１０を有し、悪臭放散施設等の開口部等に展張される。なお、ネット３の素材は、耐久性や加工性等の観点から合成繊維が好ましいが、これに限定されるものではなく、例えば、天然繊維、再生繊維、半合成繊維等、その他の繊維でも良い。ネット３のネット部１０の目開きは、例えば、１ｍｍから１５ｍｍ程度である。なお、ネット３の通気性を確保しつつ好適な脱臭効果を得る観点から、ネット部１０の目開きは、５ｍｍから１０ｍｍ程度が好ましい。
【００３０】
ネット３の網目形状としては、略四角形状、略六角形状等、各種の形態を採用し得る。また、ネット３には、ネット３のネット部１０よりも目開きが小さく所定幅で水平方向に延在する生地部１１が設けられている。
【００３１】
回収容器４は、ネット３の下方に設けられて、ネット３から流下する液体Ｌを回収する。また、ネット式脱臭装置１は、回収容器４と散水容器２とをつなぎ液体Ｌを流す循環経路７と、循環経路７に設けられて回収容器４で回収された液体Ｌを散水容器２に供給するためのポンプ５と、液体Ｌを貯留するための貯留タンク６と、を備えても良い。これにより、溶液Ｌを循環させて、ネット３の湿潤状態を好適に維持することができる。
【００３２】
ここで、液体Ｌは、消臭液等であり、例えば、濃度約０．５質量％のクエン酸水溶液等である。図１（Ｂ）に模式的に示すように、悪臭放散施設内からのアンモニアに代表される臭気は、ネット３に沿って流れる液体Ｌによって吸収、中和される。これにより、施設外への臭気の漏れが抑制される。
【００３３】
なお、液体Ｌとしては、クエン酸やリンゴ酸等の各種有機酸水溶液や、その他の各種消臭成分を含む消臭液を用いることができる。また、液体Ｌに殺虫成分、害虫忌避成分、除菌・抗菌成分等を含む溶液を用いても良い。これにより、ネット式脱臭装置１は、殺虫、害虫忌避、除菌・抗菌等の各種用途に利用することができる。
【００３４】
また、ネット式脱臭装置１では、ネット３を流下する液体Ｌが蒸発することによる冷却効果が得られる。そのため、冷却効果を得ることのみを目的とする場合には、液体Ｌとして水を用いても良い。これにより、ネット式脱臭装置１を冷却・防暑装置として利用することができる。
【００３５】
図２は、ネット式脱臭装置１の概略構成を示す斜視図である。図２に示すように、散水容器２及び回収容器４は、横断面略六角形状でネット３の上端辺若しくは下端辺に沿って水平方向に延在する略筒状（略六角筒状）に形成される。
【００３６】
散水容器２及び回収容器４は、夫々の両端部が図示しない蓋部材によって封止されている。これにより、散水容器２の内部には、ネット３に流下させる液体Ｌを貯留する空間が形成され、回収容器４の内部には、ネット３から流下する液体Ｌを受け止める空間が形成される。
【００３７】
このように、散水容器２及び回収容器４は、その上部が完全に開口していない略密閉容器状に形成されるので、散水容器２及び回収容器４の内部に埃や枯葉等の異物が侵入することを防止できる。これにより、埃等の侵入に起因する液体Ｌの流下量の低下や流れの不均一化を抑制することができる。
【００３８】
散水容器２及び回収容器４は、夫々繊維強化樹脂等から成形される複数の構成部材によって構成されており、それらの構成部材には互いの結合を可能とするフランジ部等が形成されている。なお、図２においては、各構成部材やフランジ部等の図示を省略している。
【００３９】
散水容器２には、その内部空間に液体Ｌを供給するための給水口２８が設けられ、給水口２８は、ポンプ５につながる循環経路７に接続されると共に、散水容器２の内部に設けられる散水管２９に接続される。
【００４０】
散水管２９は、散水容器２の内部でネット３の幅方向、即ち水平方向に延在する略管状の部材である。散水管２９の管壁には、液体Ｌを通過させる多数の貫通孔が形成されている。また、散水管２９として、管内から管外につながり液体Ｌの通過を許容する多数の空隙が形成される多孔質管等を用いても良い。散水管２９を設けることにより、ネット３の全幅に亘って略均等に液体Ｌを供給することができる。
【００４１】
散水容器２の底部２１には、ネット３の水平幅方向に延在して液体Ｌの流出を許容する細隙状の流出孔３０が形成される。そして、流出孔３０には、ネット３の上端辺近傍が挿通される。
【００４２】
また、散水容器２の内部には、ネット３の幅方向に延在する略管状の支持体１５が配設される。支持体１５は、流出孔３０を通過不可能な形状である。支持体１５としては、各種の形態を採用可能であるが、例えば、流出孔３０の開口幅よりも太い略棒状若しくは略管状の部材が好ましく、具体的には、塩化ビニル樹脂等から形成される円管等を用いることができる。
【００４３】
流出孔３０に挿通されるネット３の上端辺近傍は、支持体１５に接続されて支持される。具体的には、ネット３の上端辺近傍には、該上端辺に沿って延在する略筒状若しくは略袋状の支持体挿入部１２が形成され、支持体１５は、支持体挿入部１２に挿通される。
【００４４】
このような構成により、散水容器２の内部で支持体１５に接続されたネット３を、散水容器２の底部２１によって支えることができる。即ち、ネット３の上端辺近傍を水平方向の全幅に亘って安定して支持することができ、弛み等を抑制してネット３を好適に展張することができる。また、ネット３と支持体１５との接続作業も容易に行うことができる。
【００４５】
なお、ネット３の上端辺近傍、具体的には支持体挿入部１２は、ネット３のネット部１０よりも目開きが小さくなるよう形成される（生地部）。具体的には、ネット部１０の上端部から連続して一体的に編成若しくは織成される生地部の上端部を折り返して縫着することにより、略筒状の支持体挿入部１２が形成される。
【００４６】
なお、ネット３の上端辺近傍を構成する前記生地部として、別途形成される合成繊維等からなる各種織物や編物等の布材等をネット部１０の上端部近傍に縫着して利用することも可能である。また、当該生地部の織り方（編み方）としては、様々な形態を採用可能である。また、生地部は、必ずしも繊維が規則正しく織られた（編まれた）布材等に限定されるものではなく、繊維を絡み合わせて布状に仕上げられる不織布等でも良い。このようにネット３の上端辺近傍に生地部を設けることにより、散水容器２から流出する液体Ｌの量をネット３の幅方向に均一化する効果が得られる。
【００４７】
回収容器４の上部には、ネット３の下端辺近傍が挿通される貫通孔３１が形成される。貫通孔３１に挿通されるネット３の下端辺近傍には、該下端辺に沿って延在する略筒状若しくは略袋状の下部支持体挿入部１３が形成され、下部支持体挿入部１３には、下部支持体１７が挿通される。
【００４８】
下部支持体１７は、ネット３の水平幅方向に延在する略棒状若しくは略管状の部材であり、例えば、塩化ビニル樹脂等からなる円管等である。下部支持体１７は、回収容器４の貫通孔３１を通過不可能な形態であり、具体的には、貫通孔３１の開口幅よりも太く、ネット３の下端辺近傍を支持し、風等によるネット３のまくれ上がり等を抑制する機能を有する。これにより、ネット３の好適な展張状態が維持される。
【００４９】
また、ネット３を介して相対する貫通孔３１の縁部には、該縁部から夫々連続して互いに平行となるよう上方に延設されてネット３を挟む一対のフランジ部３２が形成されても良い。これにより、液体Ｌの飛散を抑制しつつネット３の下端辺近傍を好適に支持することができる。また、前述のとおり、回収容器４は略密閉容器状に形成されるので、回収容器４内部への異物の侵入が抑制される。
【００５０】
図３は、ネット式脱臭装置１の散水容器２付近の横断面図（図１（Ａ）に示すＢ−Ｂ線断面図）である。
図３に示すように、散水容器２は、構成部材としてのケース部材２０Ａとケース部材２０Ｂとを組み合わせることにより構成される。
【００５１】
具体的には、ケース部材２０Ａ、２０Ｂは、夫々上部のフランジ部２４と下部のフランジ部２３とを有し、横断面略ハット形状でネット３の水平幅方向に延在する。ケース部材２０Ａ及びケース部材２０Ｂのフランジ部２４及びフランジ部２３が夫々互いに突き合わされてボルト及びナット等の締結部材４０によって固定されて散水容器２を構成する筒状体が形成される。
【００５２】
ここで、ケース部材２０Ａ及びケース部材２０Ｂのフランジ部２３は、ネット３の上端辺近傍を挟み込むように、且つ互いの内面２３ａが所定の距離で離間するよう組み立てられる。これにより、散水容器２の底部２１に、ネット３の水平幅方向に延在して液体Ｌの流出を許容する細隙状の流出孔３０が形成される。なお、前述のとおり、ネット３の上端辺近傍は、流出孔３０に挟まれると共に、散水容器２の内部で支持体１５に接続されて支持される。
【００５３】
このように、散水容器２の底部２１に流出孔３０が形成されることにより、流出孔３０から重力を利用して液体Ｌを流下させることができる。そのため、毛細管現象を利用して液体を吸い上げてから流下させる従来技術に比べて、多量の液体Ｌを効率良く流下せることができる。その結果、ネット３全体を略均一に湿潤させて、液体Ｌの流下量を増やし、脱臭効果を高めることができる。
【００５４】
ここで、散水容器２は、横断面略六角形状に形成され、底部２１は、両側から中央の流出孔３０に向かって下方に傾斜するよう形成される。これにより、液体Ｌの流出を良好にすることができる。なお、散水容器２の横断面形状としては、例えば、円形状、半円形状、ひし形状等、その他の各種形状を採用し得るが、その底部は流出孔３０に向かって下降傾斜する形状であることが好ましい。
【００５５】
また、ネット３の上端辺近傍は、流出孔３０に挿通され、散水容器２の内部に配設される支持体１５に接続されるので、散水容器２内の液体Ｌは、ネット３に沿って流出孔３０から流出する。そのため、液体Ｌの飛散を抑制しつつ流下量を増加させることができる。
【００５６】
また、一対のフランジ部２３は、ネット３を介して相対する流出孔３０の縁部から夫々連続して互いに平行となるよう下方に延設されてネット３を挟むので、フランジ部２３によって液体Ｌを略均等に流出させる効果が高められる。また、フランジ部２３が形成されることにより、液体Ｌの飛散が抑制されるので、液体Ｌの流下量を増加させることが可能となる。
【００５７】
なお、ネット３の上端辺近傍に形成される前述の生地部（支持体挿入部１２）は、その下部が一対のフランジ部２３に挟み込まれることが望ましい。これにより、散水容器２から流出する液体Ｌをネット３の幅方向に略均等に分配させる効果が高められる。
【００５８】
また、対向するフランジ部２３の内面２３ａ間には、フランジ部２３によって挟持されるスペーサ２７が設けられる。スペーサ２７は、締結部材４０が挿通される略環状の部材であり、例えば、Ｏリングやワッシャ等である。
【００５９】
フランジ部２３の間にスペーサ２７を設けることにより、流出孔３０の開口幅及びフランジ部２３の内面２３ａ間の距離を好適に確保することができるので、液体Ｌの流下量を好適に調整することができる。また、ネット３の全幅に亘って流出孔３０の開口幅及びフランジ部２３の内面２３ａ間の距離を略均等に設定することができるので、液体Ｌの略均等な流下が可能となる。
【００６０】
なお、フランジ部２３間にスペーサ２７を設ける構成に代えて、フランジ部２３のネット３を介して対向する内面２３ａに、所定の高さで突出する凸部（図示せず）が形成されても良い。フランジ部２３の内面２３ａに凸部を形成することによっても、流出孔３０の開口幅及びフランジ部２３の内面２３ａ間の距離を好適に確保することができる。
【００６１】
また、前述のとおり、散水容器２は、液体Ｌを貯留可能に形成されている。そのため、散水容器２の内部に液体Ｌを所定量貯留して流下させることができるので、ネット３の幅方向に略均等に液体Ｌを供給することができる。
【００６２】
また、図示しない制御装置によってポンプ５（図２参照）を間欠運転させることも可能である。具体的には、ポンプ５を稼働して液体Ｌを散水容器２に送り、散水容器内に貯留される液体Ｌの量が所定量に達したらポンプ５を停止して液体Ｌの供給を停止する。散水容器２から液体Ｌが流下して、散水容器２内の液体Ｌの量が所定量を下回ったら、ポンプ５を稼働して液体Ｌの供給を再開する。これにより、ネット３に十分な量の液体Ｌを略均等に流下させつつポンプ５の稼働時間を減らして消費電力を削減することができる。なお、ポンプ５の稼働及び停止は、図示しないタイマ手段等を用いて所定の時間で切り替えられても良い。
【００６３】
図４は、ネット式脱臭装置１の散水容器２を構成するケース部材２０Ａの内部構造を示す透視図である。図４に示すように、ケース部材２０Ａの内面には、所定の高さで突出する凸部２２が形成されている。
【００６４】
凸部２２は、支持体１５（図３参照）が挿通されたネット３（図３参照）を支える底部２１の内面２１ａに突設されると共に、ケース部材２０Ａの内面上部まで連続し、ネット３の幅方向に複数個所形成される。凸部２２がケース部材２０Ａの底部２１から上部に連続して形成されることにより、ケース部材２０Ａの剛性が高められ、ネット３を支えるための十分な強度が確保される。
【００６５】
また、ケース部材２０Ａのフランジ部２３、２４には、ケース部材２０Ｂ（図３参照）を固定するための固定孔２５が形成されている。なお、ケース部材２０Ａに接合されるケース部材２０Ｂについても、基本的形状はケース部材２０Ａと同等（略対称形状）であり、内面に凸部２２が形成されている。
【００６６】
図５は、ネット式脱臭装置１の散水容器２の底部２１と支持体１５との当接部付近を示す縦断面図（図３に示すＣ−Ｃ線断面図）である。
前述のとおり、散水容器２の底部２１の内面２１ａには、所定高さの凸部２２がネット３の幅方向に複数個所形成されているので、図５に示すように、凸部２２がネット３を介して支持体１５に当接する。
【００６７】
これにより、ネット３の水平方向の全幅に亘って、散水容器２の底部２１の内面２１ａと支持体１５の表面との間に、凸部２２の高さに対応して、液体Ｌ（図３参照）の流出に適した所定寸法の間隙を確保することができる。
【００６８】
即ち、ネット３の荷重によって支持体１５が散水容器２の底部２１の内面２１ａに押し付けられて、当該部分のネット３が押し潰され、若しくは引張荷重による経時変化によってネット３が変形して、液体Ｌが流下する通路が塞がれてしまうことを、凸部２２を形成することによって抑制することができる。その結果、必要な量の液体Ｌを略均一に流下させることできる。
【００６９】
なお、底部２１の内面２１ａに凸部２２を形成する構成に代えて若しくは加えて、支持体１５の表面に所定の高さで突出する凸部を形成しても良い。そのような構成によっても液体Ｌの流路を好適に確保することができる。
【００７０】
図６（Ａ）は、ネット式脱臭装置の生地部１１の端部近傍（図１（Ａ）に示すＤ部詳細）を示す斜視図であり、同図（Ｂ）は、生地部１１の変形例である生地部１１１の端部近傍（図１（Ａ）に示すＤ部に相当）を示す斜視図である。
【００７１】
図１（Ａ）を参照して既に説明したとおり、ネット３には、ネット３のネット部１０よりも目開きが小さく所定幅で水平方向に延在する生地部１１が設けられている。図６（Ａ）に示すように、生地部１１は、略帯状の形態を成し、ネット３の略網目状のネット部１０に連続して一体的に編成若しくは織成される。なお、生地部１１は、別途形成される略帯状の布材等をネット部１０に縫着することにより形成されても良い。
【００７２】
生地部１１としては、合成繊維等からなる種々の織り方（編み方）の織物や編物等の布材等を利用可能である。また、生地部１１は、不織布等でも良い。このように、散水容器２から懸垂されるネット３の上下方向の中間部に生地部１１を設けることにより、ネット３を流下する過程における液体Ｌの流れの偏りを抑制して、ネット３の湿潤状態の均一化を図ることができる。
【００７３】
また、図６（Ｂ）に示すように、生地部１１１を略筒状若しくは略袋状に形成しても良い。例えば、２枚の生地部、即ち上方のネット部１０に連続して形成される略帯状の生地部と下方のネット部１０に連続して形成される略帯状の生地部とを重ね合わせ、その上辺部近傍及び下辺部近傍を縫着することにより、略筒状等の生地部１１１が形成される。また、別途形成される略帯状の２枚の布材等を、ネット部１０に重ね合わせて縫着することにより略筒状等の生地部１１１を形成しても良い。
【００７４】
生地部１１１を略筒状等に形成することにより、その内部に中間支持体１６を挿通させることができる。中間支持体１６は、塩化ビニル樹脂等の合成樹脂や各種金属等からなる棒状体、帯状体若しくは管状体等である。
【００７５】
生地部１１１を略筒状等に形成し、その内部に中間支持体１６を設けることにより、中間支持体１６が錘として機能してネット３を上下方向に展張すると共に、中間支持体１６が形状維持機能を発揮してネット３の歪み等を抑制することができる。これにより、風等によるネット３のめくれ等が抑えられ、脱臭機能を好適に維持することができる。
【００７６】
図７（Ａ）は、ネット式脱臭装置１のネット３の側部支持体１８近傍を示す斜視図であり、同図（Ｂ）は、側部支持体１８近傍の変形例を示す斜視図であり、同図（Ｃ）は、更に他の変形例である側部支持体４７を示す斜視図である。
【００７７】
図７（Ａ）に示すように、ネット３の側方（左右両側）の端辺３ａ近傍に、端辺３ａに沿って鉛直に延在する側部支持体１８を設け、接続部材１９によってネット３の端辺３ａ近傍を側部支持体１８に接続しても良い。
【００７８】
側部支持体１８を設けてネット３の端辺３ａ近傍を接続することにより、ネット３の端辺３ａ近傍が側部支持体１８によって好適に支持されて、風等によるネット３の振れや変形が抑制される。これにより、ネット３の好適な展張状態を維持することができる。特に、ネット式脱臭装置１を複数並べて設置する場合には、隣接するネット式脱臭装置１のネット３との間に隙間が生ずることを抑えることができ、当該隙間から臭気が漏れることを抑制することができる。
【００７９】
側部支持体１８としては、例えば、各種合成樹脂や金属等から成るロープ、ワイヤ等の略紐状の部材や、略棒状、略管状等の部材を用いることができ、具体的には、塩化ビニル樹脂等から形成される円管等を用いても良い。また、略管状の部材の内部に略紐状の部材を挿通させて側部支持体１８を構成することも可能である。
【００８０】
側部支持体１８は、その上下端部近傍が、ネット式脱臭装置１を支持する図示しない支持構造体等に固定される。ここで、側部支持体１８の上下端部近傍を固定する図示しない固定具等は、例えば、調整用のねじ等を備えても良い。これにより、側部支持体１８の張力を好適に設定することができ、ネット３の展張状態を好適に維持することができる。
【００８１】
側部支持体１８とネット３とを接続する接続部材１９は、例えば、側部支持体１８に結び付けられるロープ等でも良いし、別途接続される略環状等の金具等でも良い。ここで、各々の接続部材１９は、側部支持体１８側の接続部が上方に、ネット３側の接続部が下方になるように接続されることが望ましい。これにより、ネット３に沿って流下する液体Ｌが接続部材１９を伝って側部支持体１８へと流れることを抑制することができる。
【００８２】
図７（Ｂ）に示すように、ネット３の端辺３ａ近傍に、略筒状で端辺３ａに沿って鉛直方向に延在する側部支持体挿入部１４を形成し、側部支持体挿入部１４の内部に側部支持体１８を挿通させる構成を採用することも可能である。これにより、側部支持体１８とネット３との接続を容易に行うことができる。なお、側部支持体挿入部１４は、既に説明した支持体挿入部１２（図２参照）と類似の構成で良い。
【００８３】
図７（Ｃ）に示すように、ネット３の側方の端辺３ａ近傍を支持してその変形を抑える手段として、ネット３を固定するための凹溝４７ａが形成された側部支持体４７と、凹溝４７ａに嵌め込まれる保持部材４８と、を採用することも可能である。
【００８４】
側部支持体４７は、鉛直方向に延在する凹溝４７ａを有する略レール状の部材である。側部支持体４７としては、例えば、アルミニウム合金等の押出成形材や、プレス成形等される各種板金部材、各種合成樹脂成形品等を利用できる。また、保持部材４８は、例えば、合成樹脂等から形成される弾性変形自在な部材である。
【００８５】
このような構成により、凹溝４７ａには、ネット３の端辺３ａ近傍が凹溝４７ａの内壁に沿うように入れられ、ネット３の外側から保持部材４８が嵌め込まれる。ここで、保持部材４８は、凹溝４７ａに対応する形状、即ち凹溝４７ａに嵌合可能な形状である。具体的には、凹溝４７ａは、開口部よりも内部の方が幅広く形成されており、保持部材４８の凹溝４７ａに嵌め込まれる部分は、凹溝４７ａの開口幅よりも大きく形成されている。
【００８６】
これにより、側部支持体４７の凹溝４７ａと、そこに嵌め込まれる保持部材４８と、によってネット３の端辺３ａ近傍が挟持されて支持される。なお、保持部材４８は、凹溝４７ａに嵌合保持される形状であれば良く、例えば、略円柱状や略円筒状（チューブ状）等であっても良い。
【００８７】
前記のネット３を側部支持体４７に接続する作業は、ネット式脱臭装置１が設置される現場において容易に行える。また、凹溝４７ａに挟み込む端辺３ａ近傍の長さを容易に調整することができ、それにより、ネット３の水平方向の張力を現場において好適に調節することが可能である。
【００８８】
また、凹溝４７ａを２本形成することにより、隣接して設置されるネット式脱臭装置１のネット３を夫々の凹溝４７ａによって固定することができる。これにより、隣接するネット３の間に隙間を発生させることなく夫々のネット３を支持して好適な展張状態にすることができる。なお、２本の凹溝４７ａは、図７（Ｃ）に示す如く、同じ方向に開口するように並べて形成されても良いし、互いに反対側に開口するよう側部支持体４７の表裏両面に夫々１本ずつ形成されても良い。
【００８９】
また、保持部材４８として弾性復元力が比較的弱い部材を採用し、保持部材４８を押圧して凹溝４７ａの内部に保持するための付勢部材４９を設けても良い。付勢部材４９としては、所定の弾性復元力を有する各種合成樹脂成形品や略蛇行状のバネ材等を利用することができる。
【００９０】
このように、保持部材４８として弾性復元力が比較的弱い部材を採用することにより、保持部材４８の取り付けが容易になるので、ネット３を側部支持体４７に接続する作業及びネット３の張力を調整する作業が容易になる。また、付勢部材４９を設けることにより、ネット３の端辺３ａ近傍を強固に支持することができ、風等によるネット３の外れを抑制することができる。
【００９１】
図８（Ａ）ないし（Ｃ）は、本発明の他の実施形態に係るネット式脱臭装置１０１のネット３の下端辺近傍の斜視図であり、同図（Ａ）は、下部支持体１７にネット３を貼付した状態を示し、同図（Ｂ）は、下部支持体１７にネット３を巻き付けた状態を示し、同図（Ｃ）は、ネット３を固定する状態を示している。なお、図８及び図９において、既に説明した実施形態と同一若しくは同様の作用、効果を奏する構成要素については、同一の符号を付している。
【００９２】
図８（Ａ）に示すように、例えば、接着テープ若しくは粘着テープ等の接合材３４を用いて、ネット３の下端辺を下部支持体１７に接合させる。ここで、下部支持体１７の表面に位置決めのための目印（下部支持体１７の軸方向に延びる直線等）が描かれていると、容易且つ正確に下部支持体１７をネット３の下端辺に沿って水平に取り付けることができる。
【００９３】
次に、図８（Ｂ）に示すように、下部支持体１７を回転させてネット３の下部を下部支持体１７に巻き付ける。そして、ネット３が所定の長さ（高さ）になるまで巻き付けた後、図８（Ｃ）に示すように、ネット３が巻き付けられた下部支持体１７に横断面略Ｃ字形状等の固定部材３５を嵌めてネット３を固定する。
【００９４】
以上の構成により、ネット３の下端辺近傍を縫製する必要がなくなるので、ネット３の高さを、ネット式脱臭装置１０１が設置される悪臭放散施設の開口部等の高さに合わせて容易に調整することが可能となる。即ち、設置される現場において、ネット３を所定の長さに切断して、その下端辺に下部支持体１７を容易に取り付けることができる。これにより、高さの異なる夫々の施設の開口部を好適に覆うことができる。
【００９５】
図９は、本発明の他の実施形態に係るネット式脱臭装置２０１の回収容器２０４の支持金具４１付近を示す横断面図（図１（Ａ）に示すＥ−Ｅ線断面図に相当）である。
図９に示すように、ネット式脱臭装置２０１の回収容器２０４は、上方が開口する横断面略半円形状の形態であり、例えば、塩化ビニル樹脂等の合成樹脂等から形成される。これにより、回収容器２０４は、生産性に優れ、低コストであるという利点を有する。
【００９６】
また、回収容器２０４の上方には、液体Ｌの通過が許容される略網目状のカバー４６が取り付けられる。カバー４６は、回収容器２０４の内部に枯葉等の異物が侵入することを防止する異物除去用のフィルタとしての機能を有する。
【００９７】
カバー４６の上部は、上方に膨出するよう横断面略円弧状に形成されている。これにより、カバー４６に捕えられた異物等がカバー４６から回収容器２０４の外部に滑り落ち易くなり、異物等によって液体Ｌの流下が妨げられることを抑止できる。
【００９８】
また、ネット式脱臭装置２０１は、ネット３の下端辺近傍及び回収容器２０４を支持する支持金具４１を有する。具体的には、支持金具４１は、回収容器２０４を支持する回収容器支持部４２と、ネット３の下端辺近傍を支持するネット支持部４３と、を有し、悪臭放散施設の開口部の下部等に固定される。
【００９９】
回収容器支持部４２は、その上部が回収容器２０４の底部の外面形状に対応して略半円形状に形成されている。他方、ネット支持部４３は、略Ｍ字形状に形成され、その上部の略Ｖ字形状の部分にネット３が接続された下部支持体１７が載置される。そして、ネットが接続された下部支持体１７は、例えば、合成樹脂製等の結束部材４４によって、ネット支持部４３に固定される。
【０１００】
このような構成の支持金具４１により、ネット３の下端辺近傍及び回収容器２０４を容易且つ強固に固定することができる。なお、支持金具４１を鋼管等に固定するためのクランプ等を備えても良い。これにより、ネット３や回収容器２０４の取り付けを更に容易に行うことができる。
【０１０１】
また、略Ｍ字形状に形成されるネット支持部４３の上部両端近傍には、ネット３の振れを防止するための振れ防止部材４５の下端部近傍が接続される。振れ防止部材４５は、例えば、各種合成樹脂若しくは金属等から成るロープやワイヤ等であり、その上端部近傍は、ネット３の上方において、ネット式脱臭装置１を支持する図示しない支持構造体等に接続される。振れ防止部材４５を設けることにより、風等によるネット３の振れを抑制することができる。
【０１０２】
なお、本発明は、上記実施形態に限定されるものではなく、その他、本発明の要旨を逸脱しない範囲で、種々の変更実施が可能である。
【符号の説明】
【０１０３】
１、１０１、２０１  ネット式脱臭装置
２        散水容器
３        ネット
４、２０４  回収容器
５        ポンプ
６        貯留タンク
１０      ネット部
１１、１１１  生地部
１２      支持体挿入部
１３      下部支持体挿入部
１５      支持体
１６      中間支持体
１７      下部支持体
２１      底部
２１ａ    内面（底部内面）
２２      凸部
２３      フランジ部
２３ａ    内面（フランジ部内面）
２７      スペーサ
３０      流出孔
【図１】
0006582293.tif 000002
【図２】
0006582293.tif 000003
【図３】
0006582293.tif 000004
【図４】
0006582293.tif 000005
【図５】
0006582293.tif 000006
【図６】
0006582293.tif 000007
【図７】
0006582293.tif 000008
【図８】
0006582293.tif 000009
【図９】
0006582293.tif 000010